(57)【要約】【課題】  第１の映像データから変換された第２の映像データを受信装置に送信する場合において、第１の映像データのカラーフォーマットと第２の映像データのカラーフォーマットとを受信装置に通知できるようにする。【解決手段】  送信装置（１００）は、第２の映像データのカラーフォーマットが所定のカラーフォーマットになるように、第１の映像データから前記第２の映像データを生成する変換手段（１０６）と、前記第２の映像データと、前記第１の映像データのカラーフォーマットに関する情報である第１のカラーフォーマット情報と、前記第２の映像データのカラーフォーマットに関する情報である第２のカラーフォーマット情報とを受信装置に送信する通信手段（１０７）とを有する。【選択図】  図２
2015091064.tif 000002
【特許請求の範囲】
【請求項１】
第２の映像データのカラーフォーマットが所定のカラーフォーマットになるように、第１の映像データから前記第２の映像データを生成する変換手段と、
前記第２の映像データと、前記第１の映像データのカラーフォーマットに関する情報である第１のカラーフォーマット情報と、前記第２の映像データのカラーフォーマットに関する情報である第２のカラーフォーマット情報とを受信装置に送信する通信手段と
を有することを特徴とする送信装置。
【請求項２】
前記第１のカラーフォーマット情報は、色空間に関する情報と、サンプリング方式に関する情報とを含むことを特徴とする請求項１に記載の送信装置。
【請求項３】
前記第２のカラーフォーマット情報は、色空間に関する情報と、サンプリング方式に関する情報とを含むことを特徴とする請求項１又は２に記載の送信装置。
【請求項４】
前記所定のカラーフォーマットは、ＹＣｂＣｒ  ４：２：２、ＹＣｂＣｒ  ４：４：４、ＲＧＢ  ４：４：４、ＹＰｂＰｒ  ４：２：２及びＹＰｂＰｒ  ４：４：４のうちのいずれかに対応することを特徴とする請求項１から３のいずれか１項に記載の送信装置。
【請求項５】
前記第１のカラーフォーマット情報がＹＣｂＣｒ  ４：２：０又はＹＰｂＰｒ  ４：２：０を示す場合、前記所定のカラーフォーマットは、ＹＣｂＣｒ  ４：２：２、ＹＣｂＣｒ  ４：４：４、ＲＧＢ  ４：４：４、ＹＰｂＰｒ  ４：２：２及びＹＰｂＰｒ  ４：４：４のうちのいずれかに対応することを特徴とする請求項１から４のいずれか１項に記載の送信装置。
【請求項６】
前記第１のカラーフォーマット情報がＹＣｂＣｒ  ４：２：２又はＹＰｂＰｒ  ４：２：２を示す場合、前記所定のカラーフォーマットは、ＹＣｂＣｒ  ４：４：４、ＲＧＢ  ４：４：４及びＹＰｂＰｒ  ４：４：４のうちのいずれかに対応することを特徴とする請求項１から５のいずれか１項に記載の送信装置。
【請求項７】
前記第１のカラーフォーマット情報がＹＣｂＣｒ  ４：４：４を示す場合、前記所定のカラーフォーマットは、ＲＧＢ  ４：４：４に対応することを特徴とする請求項１から６のいずれか１項に記載の送信装置。
【請求項８】
前記第１のカラーフォーマット情報がＲＧＢ  ４：４：４を示す場合、前記所定のカラーフォーマットは、ＹＣｂＣｒ  ４：４：４に対応することを特徴とする請求項１から７のいずれか１項に記載の送信装置。
【請求項９】
前記通信手段はさらに、前記第１の映像データから前記第２の映像データを生成する場合に用いた変換方法に関する情報を前記受信装置に送信することを特徴とする請求項１から８のいずれか１項に記載の送信装置。
【請求項１０】
前記受信装置が記録装置として動作できる装置でない場合、前記通信手段は、前記第１のカラーフォーマット情報を前記受信装置に送信しないようにすることを特徴とする請求項１から９のいずれか１項に記載の送信装置。
【請求項１１】
前記通信手段は、ＨＤＭＩ規格に準拠することを特徴とする請求項１から１０のいずれか１項に記載の送信装置。
【請求項１２】
前記通信手段は、ＣＥＣ規格に準拠することを特徴とする請求項１から１１のいずれか１項に記載の送信装置。
【請求項１３】
第１の映像データから生成された第２の映像データと、前記第１の映像データのカラーフォーマットに関する情報である第１のカラーフォーマット情報と、前記第２の映像データのカラーフォーマットに関する情報である第２のカラーフォーマット情報とを送信装置から受信する通信手段と、
前記第１のカラーフォーマット情報と前記第２のカラーフォーマット情報とに基づいて、前記第２の映像データから前記第１の映像データ又は第３の映像データを生成する変換手段と、
前記第１の映像データ又は前記第３の映像データを記憶媒体に記録する記録手段と
を有し、
前記第２の映像データから前記第３の映像データを生成する場合、前記変換手段は、前記第３の映像データのカラーフォーマットが前記第１の映像データのカラーフォーマットと同じカラーフォーマットになるように、前記第２の映像データから前記第３の映像データを生成する
ことを特徴とする受信装置。
【請求項１４】
前記第１のカラーフォーマット情報は、色空間に関する情報と、サンプリング方式に関する情報とを含むことを特徴とする請求項１３に記載の受信装置。
【請求項１５】
前記第２のカラーフォーマット情報は、色空間に関する情報と、サンプリング方式に関する情報とを含むことを特徴とする請求項１３又は１４に記載の受信装置。
【請求項１６】
前記第１のカラーフォーマット情報がＹＣｂＣｒ  ４：２：０又はＹＰｂＰｒ  ４：２：０を示し、前記第２のカラーフォーマット情報がＹＣｂＣｒ  ４：２：２、ＹＣｂＣｒ  ４：４：４、ＹＰｂＰｒ  ４：２：２及びＹＰｂＰｒ  ４：４：４のうちのいずれかを示す場合、前記変換手段は、前記第２の映像データから前記第１の映像データを生成することを特徴とする請求項１３から１５のいずれか１項に記載の受信装置。
【請求項１７】
前記第１のカラーフォーマット情報がＹＣｂＣｒ  ４：２：２又はＹＰｂＰｒ  ４：２：２を示し、前記第２のカラーフォーマット情報がＹＣｂＣｒ  ４：４：４又はＹＰｂＰｒ  ４：４：４を示す場合、前記変換手段は、前記第２の映像データから前記第１の映像データを生成することを特徴とする請求項１３から１６のいずれか１項に記載の受信装置。
【請求項１８】
前記第１のカラーフォーマット情報がＹＣｂＣｒ  ４：２：０、ＹＣｂＣｒ  ４：２：２、ＹＣｂＣｒ  ４：４：４、ＹＰｂＰｒ  ４：２：０、ＹＰｂＰｒ  ４：２：２及びＹＰｂＰｒ  ４：４：４のうちのいずれかを示し、前記第２のカラーフォーマット情報がＲＧＢ  ４：４：４を示す場合、前記変換手段は、前記第２の映像データから前記第３の映像データを生成することを特徴とする請求項１３から１７のいずれか１項に記載の受信装置。
【請求項１９】
前記第１のカラーフォーマット情報がＲＧＢ  ４：４：４を示し、前記第２のカラーフォーマット情報がＹＣｂＣｒ  ４：４：４又はＹＰｂＰｒ  ４：４：４を示す場合、前記変換手段は、前記第２の映像データから前記第３の映像データを生成することを特徴とする請求項１３から１８のいずれか１項に記載の受信装置。
【請求項２０】
前記通信手段はさらに、前記第１の映像データから前記第２の映像データを生成する場合に用いた変換方法に関する情報を前記送信装置から受信することを特徴とする請求項１３から１９のいずれか１項に記載の受信装置。
【請求項２１】
前記通信手段は、ＨＤＭＩ規格に準拠することを特徴とする請求項１３から２０のいずれか１項に記載の受信装置。
【請求項２２】
前記通信手段は、ＣＥＣ規格に準拠することを特徴とする請求項１３から２１のいずれか１項に記載の受信装置。
【発明の詳細な説明】
【技術分野】
【０００１】
本発明は、映像データを送信する送信装置、当該映像データを受信する受信装置などに関する。
【背景技術】
【０００２】
通信装置のインターフェースに関する規格として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）が知られている。以下、ＨＤＭＩ規格に準拠したインターフェースを「ＨＤＭＩインターフェース」と呼ぶ。
【０００３】
ＨＤＭＩ規格において、ソース（Ｓｏｕｒｃｅ）装置は、ＨＤＭＩ出力（ＨＤＭＩ  ｏｕｔｐｕｔ）を有する装置であり、送信装置として動作することができる。シンク（Ｓｉｎｋ）装置は、ＨＤＭＩ入力（ＨＤＭＩ  ｉｎｐｕｔ）を有する装置であり、受信装置として動作することができる。ソース装置は、カラーフォーマット（色空間及びサンプリング方式）がＹＣｂＣｒ  ４：２：２、ＹＣｂＣｒ  ４：４：４又はＲＧＢ  ４：４：４である映像データをシンク装置に送信することができる。ここで、ＹＣｂＣｒ及びＲＧＢはいずれも映像データの色空間を示し、４：２：２及び４：４：４はいずれも映像データのサンプリング方式を示してしている。特許文献１には、カラーフォーマットがＹＵＶ  ４：２：２である画像データをシンク装置に送信することができるソース装置が記載されている。
【先行技術文献】
【特許文献】
【０００４】
【特許文献１】特開２００９−１２４２２４号公報
【発明の概要】
【発明が解決しようとする課題】
【０００５】
まず、第１の問題について説明する。第１の問題は、オリジナルの映像データである第１の映像データのカラーフォーマットがＹＣｂＣｒ  ４：２：０である場合、ソース装置は、第１の映像データをシンク装置に送信することができないという問題である。
【０００６】
第１の問題を解決する方法として、第１の映像データをカラーフォーマットが異なる第２の映像データに変換し、その後、第２の映像データをシンク装置に送信するという方法が考えられる。この方法を方法Ａと呼ぶ。方法Ａでは、第２の映像データのカラーフォーマットは、例えば、ＹＣｂＣｒ  ４：２：２、ＹＣｂＣｒ  ４：４：４又はＲＧＢ  ４：４：４である。
【０００７】
しかしながら、方法Ａにおいては、ソース装置は、第１の映像データではなく第２の映像データをシンク装置に送信してしまうことになる。そのため、ソース装置は、第２の映像データに関する情報をシンク装置に送信することはできても、第１の映像データに関する情報をシンク装置に送信することはできない。例えば、ソース装置は、第２の映像データのカラーフォーマットに関する情報をシンク装置に送信することはできるが、第１の映像データのカラーフォーマットに関する情報をシンク装置に送信することができない。これにより、方法Ａにおいては、シンク装置は、第２の映像データのカラーフォーマットを知ることはできても、オリジナルの映像データである第１の映像データのカラーフォーマットを知ることができないという第２の問題が生じてしまう。
【０００８】
さらに、方法Ａにおいては、シンク装置は、オリジナルの映像データである第１の映像データのカラーフォーマットを知ることができない（第２の問題）。そのため、第２の映像データを第１の映像データ又は第３の映像データに再変換することができないという第３の問題が生じてしまう。ここで、第３の映像データのカラーフォーマット（色空間及びサンプリング方式）は、第１の映像データのカラーフォーマット（色空間及びサンプリング方式）と同じである。例えば、ソース装置が、カラーフォーマットがＹＣｂＣｒ  ４：２：０である第１の映像データをカラーフォーマットがＹＣｂＣｒ  ４：２：２又はＹＣｂＣｒ  ４：４：４である第２の映像データに変換する場合を考える。この場合、ソース装置は、第１の映像データの色差データに補間データを付加することにより、第１の映像データを第２の映像データに変換することができる。そして、ソース装置は、第１の映像データと補間データとを含む第２の映像データをシンク装置に送信することができる。この場合、シンク装置が第２の映像データから補間データを除去することができれば、シンク装置は、画質を劣化させることなく、第２の映像データを第１の映像データに再変換することができる。或いは、シンク装置は、画質を劣化させることになるかもしれない方法で、第２の映像データを第３の映像データに再変換することができる。しかしながら、上述のように、シンク装置は、第１の映像データのカラーフォーマットを知ることができない。そのため、シンク装置は、第２の映像データを第１の映像データ又は第３の映像データに再変換することができず、第１の映像データ又は第３の映像データを記憶媒体に記録することもできない。
【０００９】
さらに、方法Ａにおいては、ソース装置は、第２の映像データをシンク装置に送信することはできても、オリジナルの映像データである第１の映像データをシンク装置に送信することはできない。そのため、シンク装置が、第１の映像データではなく第２の映像データをオリジナルの映像データであると判定してしまい、第２の映像データをオリジナルの映像データとして記憶媒体に記録してしまうという第４の問題が生じてしまう。
【００１０】
次に、第５の問題について説明する。第５の問題は、第１の映像データのカラーフォーマットがＹＣｂＣｒ  ４：２：２、ＹＣｂＣｒ  ４：４：４又はＲＧＢ  ４：４：４であっても、シンク装置がそのカラーフォーマットを取り扱うことができない場合があるという問題である。このような場合、ソース装置は、オリジナルの映像データである第１の映像データをシンク装置に送信することができないことになる。
【００１１】
第５の問題を解決する方法として、第２の映像データのカラーフォーマットがシンク装置が取り扱えるカラーフォーマットになるように第１の映像データを第２の映像データに変換し、その後、第２の映像データをシンク装置に送信するという方法が考えられる。この方法を方法Ｂと呼ぶ。
【００１２】
しかしながら、方法Ｂにおいても、ソース装置は、第１の映像データではなく第２の映像データをシンク装置に送信してしまうことになる。そのため、ソース装置は、第２の映像データに関する情報をシンク装置に送信することはできても、第１の映像データに関する情報をシンク装置に送信することはできない。例えば、ソース装置は、第２の映像データのカラーフォーマットに関する情報をシンク装置に送信することはできるが、第１の映像データのカラーフォーマットに関する情報をシンク装置に送信することはできない。これにより、方法Ｂにおいても、方法Ａと同様に、上述の第２の問題が生じてしまう。
【００１３】
さらに、方法Ｂにおいても、シンク装置は、オリジナルの映像データである第１の映像データのカラーフォーマットを知ることができない（第２の問題）。そのため、方法Ｂにおいても、方法Ａと同様に、上述の第３の問題が生じてしまう。
【００１４】
さらに、方法Ｂにおいても、ソース装置は、第２の映像データをシンク装置に送信することはできても、オリジナルの映像データである第１の映像データをシンク装置に送信することはできない。そのため、方法Ｂにおいても、方法Ａと同様に、上述の第４の問題が生じてしまう。
【００１５】
なお、上述の第１〜第５の問題は、ＨＤＭＩ規格に準拠した複数の通信装置の間においてのみ生ずるものではなく、ＨＤＭＩ規格以外の規格に準拠した複数の通信装置の間においても生じる可能性がある。例えば、受信装置が第２の映像データを受信する場合において、受信装置がオリジナルの映像データである第１の映像データのカラーフォーマットを知ることができないという問題は、ＨＤＭＩ規格に準拠した複数の通信装置の間においてのみ生ずるものではない。
【００１６】
そこで、本発明は、第１の映像データから変換された第２の映像データを受信装置に送信する場合において、第１の映像データのカラーフォーマットと第２の映像データのカラーフォーマットとを受信装置に通知できるようにすることを目的とする。
【００１７】
また、本発明は、第１の映像データから変換された第２の映像データを受信装置に送信する場合において、受信装置が第２の映像データを第１の映像データ又は第３の映像データに再変換することができるか否かを判定できるようにすることを目的とする。ここで、第３の映像データのカラーフォーマット（色空間及びサンプリング方式）は、第１の映像データのカラーフォーマット（色空間及びサンプリング方式）と同じである。
【課題を解決するための手段】
【００１８】
本発明に係る送信装置は、第２の映像データのカラーフォーマットが所定のカラーフォーマットになるように、第１の映像データから前記第２の映像データを生成する変換手段と、前記第２の映像データと、前記第１の映像データのカラーフォーマットに関する情報である第１のカラーフォーマット情報と、前記第２の映像データのカラーフォーマットに関する情報である第２のカラーフォーマット情報とを受信装置に送信する通信手段とを有することを特徴とする。
【００１９】
本発明に係る受信装置は、第１の映像データから生成された第２の映像データと、前記第１の映像データのカラーフォーマットに関する情報である第１のカラーフォーマット情報と、前記第２の映像データのカラーフォーマットに関する情報である第２のカラーフォーマット情報とを送信装置から受信する通信手段と、前記第１のカラーフォーマット情報と前記第２のカラーフォーマット情報とに基づいて、前記第２の映像データから前記第１の映像データ又は第３の映像データを生成する変換手段と、前記第１の映像データ又は前記第３の映像データを記憶媒体に記録する記録手段とを有し、前記第２の映像データから前記第３の映像データを生成する場合、前記変換手段は、前記第３の映像データのカラーフォーマットが前記第１の映像データのカラーフォーマットと同じカラーフォーマットになるように、前記第２の映像データから前記第３の映像データを生成することを特徴とする。
【発明の効果】
【００２０】
本発明によれば、第１の映像データから変換された第２の映像データを受信装置に送信する場合において、第１の映像データのカラーフォーマットと第２の映像データのカラーフォーマットとを受信装置に通知することができる。
【００２１】
本発明によれば、第１の映像データから変換された第２の映像データを受信装置に送信する場合において、受信装置が第２の映像データを第１の映像データ又は第３の映像データに再変換することができるか否かを判定することができる。ここで、第３の映像データのカラーフォーマット（色空間及びサンプリング方式）は、第１の映像データのカラーフォーマット（色空間及びサンプリング方式）と同じである。
【図面の簡単な説明】
【００２２】
【図１】実施形態１における通信システムに含まれる構成要素を説明するためのブロック図である。
【図２】実施形態１における送信装置に含まれる構成要素を説明するためのブロック図である。
【図３】実施形態１における受信装置に含まれる構成要素を説明するためのブロック図である。
【図４】実施形態１における送信装置で行われる映像データ送信処理の第１の例を説明するためのフローチャートである。
【図５】実施形態１における受信装置で行われる映像データ受信処理を説明するためのフローチャートである。
【図６】実施形態１における送信装置で行われる映像データ送信処理の第２の例を説明するためのフローチャートである。
【図７】実施形態１における所定の条件ｃｄ１〜ｃｄ７の一例を説明するための図である。
【図８】ＨＤＭＩ  Ｖｅｎｄｏｒ  Ｓｐｅｃｉｆｉｃ  ＩｎｆｏＦｒａｍｅのＰａｃｋｅｔ  Ｃｏｎｔｅｎｔｓのデータ構造の一例を説明するための図である。
【図９】図８のＰＢ４フィールドに格納される値の一例を説明するための図である。
【発明を実施するための形態】
【００２３】
以下、図面を参照して本発明の実施形態を説明するが、本発明の実施形態は以下の実施形態に限定されるものではない。
【００２４】
［実施形態１］
まず、図１を参照し、実施形態１における通信システムに含まれる構成要素を説明する。図１は、実施形態１における通信システムに含まれる構成要素を説明するためのブロック図である。
【００２５】
図１に示すように、実施形態１における通信システムは、送信装置１００、受信装置２００及びケーブル３００を含む。実施形態１では、送信装置１００、受信装置２００及びケーブル３００が、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠する場合を説明する。ただし、送信装置１００、受信装置２００及びケーブル３００は、ＨＤＭＩ規格以外の規格に準拠するものであってもよい。実施形態１では、送信装置１００、受信装置２００及びケーブル３００が、ＣＥＣ（Ｃｏｎｓｕｍｅｒ  Ｅｌｅｃｔｒｏｎｉｃｓ  Ｃｏｎｔｒｏｌ）規格に準拠する場合を説明する。ただし、送信装置１００、受信装置２００及びケーブル３００は、ＣＥＣ規格以外の規格に準拠するものであってもよい。
【００２６】
送信装置１００は、ＨＤＭＩ規格におけるソース（Ｓｏｕｒｃｅ）装置として動作する装置である。送信装置１００は、撮像装置、記録装置及び再生装置の少なくとも一つとして動作することができる装置でもある。送信装置１００は、例えば、デジタルビデオカメラを有する。送信装置１００は、第１の通信装置として動作する装置でもある。
【００２７】
受信装置２００は、ＨＤＭＩ規格におけるシンク（Ｓｉｎｋ）装置として動作する装置である。受信装置２００は、表示装置、記録装置及び再生装置の少なくとも一つとして動作することができる装置でもある。受信装置２００は、第２の通信装置として動作する装置でもある。
【００２８】
ケーブル３００は、送信装置１００と受信装置２００とを接続するための通信ケーブルである。
【００２９】
なお、実施形態１では、送信装置１００と受信装置２００とがケーブル３００を介して接続される場合を説明するが、これに限るものではない。例えば、送信装置１００と受信装置２００とがケーブル３００の代わりに無線通信ネットワークを介して接続されるように送信装置１００と受信装置２００とを構成してもよい。この場合、後述する映像データｖ１、映像データｖ２、第１のカラーフォーマット情報ｃｆ１及び第２のカラーフォーマット情報ｃｆ２は、無線通信ネットワークを介して送信装置１００から受信装置２００に送信される。
【００３０】
さらに、実施形態１では、送信装置１００と受信装置２００とがケーブル３００を介して接続される場合を説明するが、これに限るものではない。例えば、送信装置１００と受信装置２００とが１つ以上の機器を介して接続されるように送信装置１００と受信装置２００とを構成してもよい。この場合、後述する映像データｖ１、映像データｖ２、第１のカラーフォーマット情報ｃｆ１及び第２のカラーフォーマット情報ｃｆ２は、１つ以上の機器を介して送信装置１００から受信装置２００に送信される。
【００３１】
次に、図２を参照し、実施形態１における送信装置１００に含まれる構成要素を説明する。図２は、実施形態１における送信装置１００に含まれる構成要素を説明するためのブロック図である。
【００３２】
図２に示すように、送信装置１００は、撮像部１０１、記憶媒体制御部１０２、記憶媒体１０３、表示制御部１０４、表示部１０５、変換部１０６及び通信部１０７を含む。図２に示すように、送信装置１００は、メモリＡ１０８、ＣＰＵ（Ｃｅｎｔｒａｌ  Ｐｒｏｃｅｓｓｉｎｇ  Ｕｎｉｔ）１０９、メモリＢ１１０、ＵＩ部１１１及び内部バス１１２を含む。
【００３３】
撮像部１０１は、レンズユニットと、光学像を取り込むための撮像素子と、撮像素子によって取り込まれた光学像に対応する電気信号から映像データを生成する画像処理部とを含む。送信装置１００の動作モードが動画撮影モードである場合、撮像部１０１は、動画像を含む映像データを生成する。送信装置１００の動作モードが動画撮影モードである場合、撮像部１０１で生成された映像データは、映像データｖ１として撮像部１０１から記憶媒体制御部１０２、表示制御部１０４、変換部１０６及び通信部１０７に供給される。なお、映像データｖ１は、オリジナルの映像データであり、第１の映像データに相当する。
【００３４】
記憶媒体制御部１０２は、記憶媒体１０３を制御するための制御部を含む。送信装置１００の動作モードが動画撮影モードである場合、記憶媒体制御部１０２は、撮像部１０１から供給された映像データｖ１を記憶媒体１０３に記録するための処理を行うことができる。実施形態１では、映像データｖ１が所定の動画記録フォーマットに従って記憶媒体１０３に記録される場合を説明する。例えば、ＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）規格に準拠した動画記録フォーマットは、実施形態１における所定の動画記録フォーマットとして用いることができる。ＡＶＣＨＤ規格では、画像圧縮方式としてＨ．２６４（Ｈ．２６４／ＭＰＥＧ−４  ＡＶＣ）を使用することができる。ＡＶＣＨＤ規格で使用可能なＨ．２６４プロファイルには、メインプロファイル（ｍａｉｎ  ｐｒｏｆｉｌｅ）とハイプロファイル（ｈｉｇｈ  ｐｒｏｆｉｌｅ）がある。メインプロファイル及びハイプロファイルのカラーフォーマット（色空間及びサンプリング方式）はいずれも、ＹＣｂＣｒ  ４：２：０である。したがって、記憶媒体１０３に記録される映像データｖ１のカラーフォーマット（色空間及びサンプリング方式）は、ＹＣｂＣｒ  ４：２：０である。
【００３５】
送信装置１００の動作モードが再生モードである場合、記憶媒体制御部１０２は、ユーザによって選択された映像データを記憶媒体１０３から再生するための処理を行うことができる。送信装置１００の動作モードが再生モードである場合、記憶媒体１０３から再生された映像データは、映像データｖ１として記憶媒体制御部１０２から表示制御部１０４、変換部１０６及び通信部１０７に供給される。実施形態１では、記憶媒体１０３から再生された映像データの動画記録フォーマットがＡＶＣＨＤ規格に準拠する場合を説明する。したがって、記憶媒体１０３に再生された映像データのカラーフォーマット（色空間及びサンプリング方式）は、ＹＣｂＣｒ  ４：２：０である。
【００３６】
記憶媒体１０３は、例えば、ハードディスク装置、フラッシュメモリなどの少なくとも一つを含む。記憶媒体１０３は、送信装置１００から取り外し可能な記憶媒体であっても、送信装置１００に内蔵された記憶媒体であってもよい。記憶媒体１０３は、ｎｏｎ−ｔｒａｎｓｉｔｏｒｙ（非一時的）な記憶媒体である。
【００３７】
表示制御部１０４は、表示部１０５を制御するための制御部を含む。送信装置１００の動作モードが動画撮影モードである場合、表示制御部１０４は、撮像部１０１から供給された映像データｖ１を表示部１０５に表示するための処理を行うことができる。送信装置１００の動作モードが再生モードである場合、表示制御部１０４は、記憶媒体制御部１０２から供給された映像データｖ１を表示部１０５に表示するための処理を行うことができる。表示部１０５は、液晶表示器などの表示器を含む。表示部１０５は、送信装置１００から取り外し可能に構成してもよい。
【００３８】
変換部１０６は、映像データｖ２のカラーフォーマットが所定のカラーフォーマットになるように、映像データｖ１から映像データｖ２を生成することができる。ここで、変換部１０６は、映像データｖ２のカラーフォーマットが映像データｖ１のカラーフォーマットと異なるカラーフォーマットになるように、映像データｖ１を映像データｖ２に変換する。ただし、映像データｖ２のカラーフォーマットは、受信装置２００が取り扱うことができるカラーフォーマットである。なお、映像データｖ２は、第２の映像データに相当する。
【００３９】
送信装置１００の動作モードが動画撮影モードである場合、変換部１０６は、撮像部１０１から供給された映像データｖ１を映像データｖ２に変換することができる。送信装置１００の動作モードが動画撮影モードである場合、変換部１０６で生成された映像データｖ２は、通信部１０７に供給される。
【００４０】
送信装置１００の動作モードが再生モードである場合、変換部１０６は、記憶媒体制御部１０２から供給された映像データｖ１を映像データｖ２に変換することができる。送信装置１００の動作モードが再生モードである場合、変換部１０６で生成された映像データｖ２は、通信部１０７に供給される。
【００４１】
通信部１０７は、ＨＤＭＩ規格及びＣＥＣ規格に準拠した通信部である。ただし、通信部２０１は、ＤｉｓｐｌａｙＰｏｒｔ規格、ＵＳＢ規格、無線ＬＡＮ規格などに準拠するものであってもよい。
【００４２】
送信装置１００の動作モードが動画撮影モードである場合、通信部１０７は、撮像部１０１から供給された映像データｖ１、変換部１０６から供給された映像データｖ２のいずれかを受信装置２００に送信することができる。映像データｖ１を受信装置２００に送信する場合は、通信部１０７は、第１のカラーフォーマット情報ｃｆ１を受信装置２００に送信する。実施形態１において、第１のカラーフォーマット情報ｃｆ１は、オリジナルの映像データである映像データｖ１のカラーフォーマットを示す情報である。第１のカラーフォーマット情報ｃｆ１には、映像データｖ１の色空間に関する情報ｃｆ１ａと、映像データｖ１のサンプリング方式に関する情報ｃｆ１ｂとが含まれている。情報ｃｆ１ａは、例えば、映像データｖ１の色空間がＲＧＢ及びＹＣｂＣｒのいずれであるかを示す。情報ｃｆ１ｂは、例えば、映像データｖ１のサンプリング方式が４：２：０、４：２：２及び４：４：４のいずれであるかを示す。
【００４３】
映像データｖ２を受信装置２００に送信する場合は、通信部１０７は、第１のカラーフォーマット情報ｃｆ１及び第２のカラーフォーマット情報ｃｆ２を受信装置２００に送信する。実施形態１において、第２のカラーフォーマット情報ｃｆ２は、映像データｖ１から生成された映像データｖ２のカラーフォーマットを示す情報である。第２のカラーフォーマット情報ｃｆ２には、映像データｖ２の色空間に関する情報ｃｆ２ａと、映像データｖ２のサンプリング方式に関する情報ｃｆ２ｂとが含まれている。情報ｃｆ２ａは、例えば、映像データｖ１の色空間がＲＧＢ及びＹＣｂＣｒのいずれであるかを示す。情報ｃｆ２ｂは、例えば、映像データｖ１のサンプリング方式が４：２：０、４：２：２及び４：４：４のいずれであるかを示す。
【００４４】
送信装置１００の動作モードが再生モードである場合、通信部１０７は、記憶媒体制御部１０２から供給された映像データｖ１、変換部１０６から供給された映像データｖ２のいずれかを受信装置２００に送信することができる。映像データｖ１を受信装置２００に送信する場合は、通信部１０７は、第１のカラーフォーマット情報ｃｆ１を受信装置２００に送信する。映像データｖ２を受信装置２００に送信する場合は、通信部１０７は、第１のカラーフォーマット情報ｃｆ１及び第２のカラーフォーマット情報ｃｆ２を受信装置２００に送信する。
【００４５】
メモリＡ１０８は、送信装置１００を制御するためのプログラムを記憶したメモリである。ＣＰＵ１０９は、送信装置１００を制御するためのプロセッサを含む。ＣＰＵ１０９は、メモリＡ１０８に格納されているプログラムを実行することにより、送信装置１００を制御することができる。したがって、撮像部１０１、記憶媒体制御部１０２、記憶媒体１０３、表示制御部１０４、表示部１０５、変換部１０６、通信部１０７、メモリＡ１０８、メモリＢ１１０及びＵＩ部１１１は、ＣＰＵ１０９によって直接的又は間接的に制御される。例えば、ＣＰＵ１０９は、メモリＡ１０８に格納されているプログラムを実行することにより、図４を参照して説明する映像データ送信処理の第１の例を制御することができる。例えば、ＣＰＵ１０９は、メモリＡ１０８に格納されているプログラムを実行することにより、図６を参照して説明する映像データ送信処理の第２の例を制御することができる。
【００４６】
メモリＢ１１０は、送信装置１００及び受信装置２００に関する様々な情報を記憶するためのメモリである。送信装置１００のデバイス情報は、メモリＢ１１０に格納されている。ＣＰＵ１０９は、受信装置２００のデバイス情報を受信装置２００から取得した場合、取得した受信装置２００のデバイス情報をメモリＢ２０９に格納する。
【００４７】
ＵＩ部１１１は、ユーザからの様々な指示をＣＰＵ１０９に入力するためのユーザーインターフェースとして機能する。
【００４８】
撮像部１０１、記憶媒体制御部１０２、表示制御部１０４、変換部１０６、通信部１０７、ＣＰＵ１０９、メモリＡ１０８、メモリＢ１１０及びＵＩ部１１１のそれぞれは、内部バス１１２を介して相互に通信できるように接続されている。
【００４９】
次に、図３を参照し、実施形態１における受信装置２００に含まれる構成要素を説明する。図３は、実施形態１における受信装置２００に含まれる構成要素を説明するためのブロック図である。
【００５０】
図３に示すように、受信装置２００は、通信部２０１、変換部２０２、記憶媒体制御部２０３、記憶媒体２０４、表示制御部２０５及び表示部２０６を含む。図３に示すように、受信装置２００は、メモリＡ２０７、ＣＰＵ（Ｃｅｎｔｒａｌ  Ｐｒｏｃｅｓｓｉｎｇ  Ｕｎｉｔ）２０８、メモリＢ２０９、ＵＩ部２１０及び内部バス２１１を含む。
【００５１】
通信部２０１は、ＨＤＭＩ規格及びＣＥＣ規格に準拠した通信部である。ただし、通信部２０１は、ＤｉｓｐｌａｙＰｏｒｔ規格、ＵＳＢ規格、無線ＬＡＮ規格などに準拠するものであってもよい。
【００５２】
通信部２０１は、映像データｖ１又は映像データｖ２を送信装置１００から受信することができる。通信部２０１によって受信された映像データｖ１又は映像データｖ２は、変換部２０２、記憶媒体制御部２０３及び表示制御部２０５に供給される。映像データｖ１を送信装置１００から受信する場合、通信部２０１は、第１のカラーフォーマット情報ｃｆ１を送信装置１００から受信することができる。通信部２０１によって受信された第１のカラーフォーマット情報ｃｆ１は、ＣＰＵ２０８に供給される。
【００５３】
映像データｖ２を送信装置１００から受信する場合、通信部２０１は、第１のカラーフォーマット情報ｃｆ１及び第２のカラーフォーマット情報ｃｆ２を送信装置１００から受信することができる。通信部２０１によって受信された第１のカラーフォーマット情報ｃｆ１及び第２のカラーフォーマット情報ｃｆ２は、ＣＰＵ２０８に供給される。
【００５４】
変換部２０２は、第１のカラーフォーマット情報ｃｆ１と第２のカラーフォーマット情報ｃｆ２とに基づいて、映像データｖ２から映像データｖ１又は映像データｖ３を生成することができる。ここで、変換部２０２は、映像データｖ３のカラーフォーマットが映像データｖ１のカラーフォーマットと同じカラーフォーマットになるように、映像データｖ２を映像データｖ３に変換する。映像データｖ３のカラーフォーマットは、受信装置２００が取り扱うことができるカラーフォーマットである。変換部２０２で生成された映像データｖ１又は映像データｖ３は、記憶媒体制御部２０３及び表示制御部２０５に供給される。なお、映像データｖ３は、第３の映像データに相当する。
【００５５】
記憶媒体制御部２０３は、記憶媒体２０４を制御するための制御部を含む。記憶媒体制御部２０３は、映像データｖ１、映像データｖ２及び映像データｖ３のいずれかを記憶媒体２０４に記録するための処理を行うことができる。記憶媒体制御部２０３は、映像データｖ１、映像データｖ２及び映像データｖ３のいずれかを記憶媒体２０４から再生するための処理を行うこともできる。記憶媒体２０４から再生された映像データｖ１、映像データｖ２又は映像データｖ３は、記憶媒体制御部２０３から表示制御部２０５に供給される。
【００５６】
記憶媒体２０４は、例えば、ハードディスク装置、フラッシュメモリなどの少なくとも一つを含む。記憶媒体２０４は、受信装置２００から取り外し可能な記憶媒体であっても、受信装置２００に内蔵された記憶媒体であってもよい。記憶媒体２０４は、ｎｏｎ−ｔｒａｎｓｉｔｏｒｙ（非一時的）な記憶媒体である。
【００５７】
表示制御部２０５は、表示部２０６を制御するための制御部を含む。表示制御部２０５は、映像データｖ１、映像データｖ２及び映像データｖ３のいずれかを表示部２０６に表示させる。表示部２０６は、液晶表示器などの表示器を含む。表示部２０６は、受信装置２００から取り外し可能に構成してもよい。
【００５８】
メモリＡ２０７は、受信装置２００を制御するためのプログラムを記憶したメモリである。ＣＰＵ２０８は、受信装置２００を制御するためのプロセッサを含む。ＣＰＵ２０８は、メモリＡ２０７に格納されているプログラムを実行することにより、受信装置２００を制御することができる。したがって、通信部２０１、変換部２０２、記憶媒体制御部２０３、記憶媒体２０４、表示制御部２０５、表示部２０６、メモリＡ２０７、メモリＢ２０９及びＵＩ部２１０は、ＣＰＵ２０８によって直接的又は間接的に制御される。例えば、ＣＰＵ２０８は、メモリＡ２０７に格納されているプログラムを実行することにより、図５を参照して説明する映像データ受信処理を制御することができる。
【００５９】
メモリＢ２０９は、送信装置１００及び受信装置２００に関する様々な情報を記憶するためのメモリである。受信装置２００のデバイス情報は、メモリＢ２０９に格納されている。ＣＰＵ２０８は、送信装置１００のデバイス情報を送信装置１００から取得した場合、取得した送信装置１００のデバイス情報をメモリＢ２０９に格納する。
【００６０】
ＵＩ部２１０は、ユーザからの様々な指示をＣＰＵ２０８に入力するためのユーザーインターフェースとして機能する。
【００６１】
通信部２０１、変換部２０２、記憶媒体制御部２０３、表示制御部２０５、メモリＡ２０７、ＣＰＵ２０８、メモリＢ２０９及びＵＩ部２１０のそれぞれは、内部バス２１１を介して相互に通信できるように接続されている。
【００６２】
次に、図４を参照し、実施形態１における送信装置１００で行われる映像データ送信処理の第１の例を説明する。映像データ送信処理の第１の例は、例えば、オリジナルの映像データである映像データｖ１の送信が送信装置１００に指示された場合に開始される。
【００６３】
ステップＳ４０１において、ＣＰＵ１０９は、映像データｖ１のカラーフォーマットを判定する。送信装置１００の動作モードが動画撮影モードである場合、ＣＰＵ１０９は、撮像部１０１から記憶媒体制御部１０２、表示制御部１０４、変換部１０６及び通信部１０７に供給される映像データｖ１のカラーフォーマットを判定する。送信装置１００の動作モードが再生モードである場合、ＣＰＵ１０９は、記憶媒体制御部１０２から表示制御部１０４、変換部１０６及び通信部１０７に供給される映像データｖ１のカラーフォーマットを判定する。映像データｖ１のカラーフォーマットが判定された後、ＣＰＵ１０９は、ステップＳ４０１からステップＳ４０２に進む。
【００６４】
ステップＳ４０２において、ＣＰＵ１０９は、映像データｖ２のカラーフォーマットを選択する。映像データｖ２のカラーフォーマットは、受信装置２００が取り扱うことができるカラーフォーマットの中からＣＰＵ１０９又はユーザが選択する。ユーザに映像データｖ２のカラーフォーマットを選択させる場合は、ＣＰＵ１０９は、受信装置２００が取り扱うことができるカラーフォーマットをユーザに提示し、ユーザに映像データｖ２のカラーフォーマットを選択させる。なお、ＣＰＵ１０９は、受信装置２００のデバイス情報を受信装置２００から取得することにより、受信装置２００がどのようなカラーフォーマットを取り扱うことができるかを知ることができる。受信装置２００のデバイス情報は、例えば、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）、Ｅ−ＥＤＩＤ（Ｅｎｈａｎｃｅｄ  ＥＤＩＤ）から取得することができる。映像データｖ２のカラーフォーマットが選択された後、ＣＰＵ１０９は、ステップＳ４０２からステップＳ４０３に進む。
【００６５】
ステップＳ４０３において、ＣＰＵ１０９は、所定の条件ｃｄ１〜ｃｄ７のうちの一つが満たされている否かを判定する。所定の条件ｃｄ１〜ｃｄ７のうちの一つが満たされている否かは、ステップＳ４０１で判定された映像データｖ１のカラーフォーマットとステップＳ４０２で選択された映像データｖ２のカラーフォーマットとに基づいて判定される。
【００６６】
実施形態１における所定の条件ｃｄ１〜ｃｄ７の一例を図７を用いて説明する。なお、図７に示す条件は一例であり、所定の条件ｃｄ１〜ｃｄ７は図７に示す条件に限定されるものではない。
【００６７】
図７に示すように、所定の条件ｃｄ１は、映像データｖ１のカラーフォーマットがＹＣｂＣｒ  ４：２：０であり、映像データｖ２のカラーフォーマットがＹＣｂＣｒ  ４：２：２であることを示す。所定の条件ｃｄ２は、映像データｖ１のカラーフォーマットがＹＣｂＣｒ  ４：２：０であり、映像データｖ２のカラーフォーマットがＹＣｂＣｒ  ４：４：４であることを示す。所定の条件ｃｄ３は、映像データｖ１のカラーフォーマットがＹＣｂＣｒ  ４：２：２であり、映像データｖ２のカラーフォーマットがＹＣｂＣｒ  ４：４：４であることを示す。
【００６８】
図７に示すように、所定の条件ｃｄ４は、映像データｖ１のカラーフォーマットがＹＣｂＣｒ  ４：２：０であり、映像データｖ２のカラーフォーマットがＲＧＢ  ４：４：４であることを示す。所定の条件ｃｄ５は、映像データｖ１のカラーフォーマットがＹＣｂＣｒ  ４：２：２であり、映像データｖ２のカラーフォーマットがＲＧＢ  ４：４：４であることを示す。所定の条件ｃｄ６は、映像データｖ１のカラーフォーマットがＹＣｂＣｒ  ４：４：４であり、映像データｖ２のカラーフォーマットがＲＧＢ  ４：４：４であることを示す。所定の条件ｃｄ７は、映像データｖ１のカラーフォーマットがＲＧＢ  ４：４：４であり、映像データｖ２のカラーフォーマットがＹＣｂＣｒ  ４：４：４であることを示す。
【００６９】
所定の条件ｃｄ１〜ｃｄ７のうちの一つが満たされている場合、ＣＰＵ１０９は、ステップＳ４０３からステップＳ４０４に進む（ステップＳ４０３でＹＥＳ）。所定の条件ｃｄ１〜ｃｄ７のいずれも満たされていない場合、ＣＰＵ１０９は、ステップＳ４０３からステップＳ４０７に進む（ステップＳ４０３でＮＯ）。
【００７０】
ステップＳ４０４において、ＣＰＵ１０９は、通知機能ｆ１をオン（ＯＮ）にする。通知機能ｆ１がオンである場合、ＣＰＵ１０９は、第１のカラーフォーマット情報ｃｆ１と第２のカラーフォーマット情報ｃｆ２とを受信装置２００に送信することができる。したがって、通知機能ｆ１がオンである場合、ＣＰＵ１０９は、映像データｖ１のカラーフォーマットと映像データｖ２のカラーフォーマットとを受信装置２００に通知することができる。通知機能ｆ１がオンにされた後、ＣＰＵ１０９は、ステップＳ４０４からステップＳ４０５に進む。
【００７１】
ステップＳ４０５において、ＣＰＵ１０９は、命令ｃ１を変換部１０６に送信する。命令ｃ１は、映像データｖ１を映像データｖ２に変換する処理を変換部１０６に行わせるための命令である。命令ｃ１は、ステップＳ４０２で選択された映像データｖ２のカラーフォーマットを示す情報ｊ１を含む。命令ｃ１を受信した変換部１０６は、情報ｊ１に従って、映像データｖ１を映像データｖ２に変換する処理を開始する。命令ｃ１が変換部１０６に送信された後、ＣＰＵ１０９は、ステップＳ４０５からステップＳ４０６に進む。
【００７２】
ステップＳ４０６において、ＣＰＵ１０９は、命令ｃ２を通信部１０７に送信する。命令ｃ２は、映像データｖ２、第１のカラーフォーマット情報ｃｆ１及び第２のカラーフォーマット情報ｃｆ２を受信装置２００に送信する処理を通信部１０７に行わせるための命令である。命令ｃ２を受信した通信部１０７は、映像データｖ２、第１のカラーフォーマット情報ｃｆ１及び第２のカラーフォーマット情報ｃｆ２を受信装置２００に送信する処理を開始する。
【００７３】
通信部１０７がＨＤＭＩ規格に準拠する場合、通信部１０７は、映像データｖ２を所定のエンコード方法に従ってエンコードして受信装置２００に送信することができる。
【００７４】
通信部１０７がＨＤＭＩ規格に準拠する場合、通信部１０７は、例えば、ＨＤＭＩ  Ｖｅｎｄｏｒ  Ｓｐｅｃｉｆｉｃ  ＩｎｆｏＦｒａｍｅを用いて第１のカラーフォーマット情報ｃｆ１を受信装置２００に送信することができる。ＨＤＭＩ  Ｖｅｎｄｏｒ  Ｓｐｅｃｉｆｉｃ  ＩｎｆｏＦｒａｍｅを用いて第１のカラーフォーマット情報ｃｆ１を受信装置２００に送信する方法については、後述する（図８及び図９参照）。通信部１０７がＣＥＣ規格に準拠する場合、通信部１０７は、例えば、ＣＥＣ規格に準拠したコマンドを用いて第１のカラーフォーマット情報ｃｆ１を受信装置２００に送信することもできる。
【００７５】
通信部１０７がＨＤＭＩ規格に準拠する場合、通信部１０７は、例えば、Ａｕｘｉｌｉａｒｙ  Ｖｉｄｅｏ  ｉｎｆｏｒｍａｔｉｏｎ  （ＡＶＩ）  ＩｎｆｏＦｒａｍｅを用いて第２のカラーフォーマット情報ｃｆ２を受信装置２００に送信することができる。通信部１０７がＣＥＣ規格に準拠する場合、通信部１０７は、例えば、ＣＥＣ規格に準拠したコマンドを用いて第２のカラーフォーマット情報ｃｆ２を受信装置２００に送信することもできる。
【００７６】
なお、ステップＳ４０６において、ＣＰＵ１０９は、情報ｈ１を受信装置２００に送信することを通信部１０７に命令することもできる。ここで、情報ｈ１は、映像データｖ１を映像データｖ２に変換する場合に用いた変換方法を受信装置２００に通知するための情報である。情報ｈ１を受信装置２００に送信することにより、受信装置２００は、映像データｖ２を映像データｖ１に再変換し易くなる。この場合、受信装置２００は、映像データｖ２から映像データｖ３への再変換によって生ずる画質の劣化を少なくすることもできる。通信部１０７がＨＤＭＩ規格に準拠する場合、通信部１０７は、例えば、ＨＤＭＩ  Ｖｅｎｄｏｒ  Ｓｐｅｃｉｆｉｃ  ＩｎｆｏＦｒａｍｅを用いて情報ｈ１を受信装置２００に送信することができる。通信部１０７がＣＥＣ規格に準拠する場合、通信部１０７は、例えば、ＣＥＣ規格に準拠したコマンドを用いて情報ｈ１を受信装置２００に送信することもできる。
【００７７】
ステップＳ４０７において、ＣＰＵ１０９は、通知機能ｆ１をオフ（ＯＦＦ）にする。通知機能ｆ１がオフである場合、ＣＰＵ１０９は、第１のカラーフォーマット情報ｃｆ１及び第２のカラーフォーマット情報ｃｆ２のうちの第２のカラーフォーマット情報ｃｆ２のみを受信装置２００に送信する。つまり、通知機能ｆ１がオフである場合、ＣＰＵ１０９は、第１のカラーフォーマット情報ｃｆ１を受信装置２００に送信しない。通知機能ｆ１がオフにされた後、ＣＰＵ１０９は、ステップＳ４０７からステップＳ４０８に進む。
【００７８】
ステップＳ４０８において、ＣＰＵ１０９は、命令ｃ３を変換部１０６に送信する。命令ｃ３は、映像データｖ１を映像データｖ２に変換する処理を変換部１０６に行わせるための命令である。命令ｃ３は、ステップＳ４０２で選択された映像データｖ２のカラーフォーマットを示す情報ｊ１を含む。命令ｃ３を受信した変換部１０６は、情報ｊ１に従って、映像データｖ１を映像データｖ２に変換する処理を開始する。命令ｃ３が変換部１０６に送信された後、ＣＰＵ１０９は、ステップＳ４０８からステップＳ４０９に進む。
【００７９】
ステップＳ４０９において、ＣＰＵ１０９は、命令ｃ４を通信部１０７に送信する。命令ｃ４は、映像データｖ２及び第２のカラーフォーマット情報ｃｆ２を受信装置２００に送信する処理を通信部１０７に行わせるための命令である。命令ｃ４を受信した通信部１０７は、映像データｖ２及び第２のカラーフォーマット情報ｃｆ２を受信装置２００に送信する処理を開始する。ただし、命令ｃ４を受信した通信部１０７は、第１のカラーフォーマット情報ｃｆ１を受信装置２００に送信する処理を停止又は禁止する。
【００８０】
通信部１０７がＨＤＭＩ規格に準拠する場合、通信部１０７は、映像データｖ２を所定のエンコード方法に従ってエンコードして受信装置２００に送信することができる。
【００８１】
通信部１０７がＨＤＭＩ規格に準拠する場合、通信部１０７は、例えば、Ａｕｘｉｌｉａｒｙ  Ｖｉｄｅｏ  ｉｎｆｏｒｍａｔｉｏｎ  （ＡＶＩ）  ＩｎｆｏＦｒａｍｅを用いて第２のカラーフォーマット情報ｃｆ２を受信装置２００に送信することができる。通信部１０７がＣＥＣ規格に準拠する場合、通信部１０７は、例えば、ＣＥＣ規格に準拠したコマンドを用いて第２のカラーフォーマット情報ｃｆ２を受信装置２００に送信することもできる。
【００８２】
このように、送信装置１００は、映像データｖ１及びｖ２のカラーフォーマットが所定の条件ｃｄ１〜ｃｄ７のうちの一つを満たす場合、第１のカラーフォーマット情報ｃｆ１及び第２のカラーフォーマット情報ｃｆ２を受信装置２００に送信することができる。これにより、受信装置２００は、第１のカラーフォーマット情報ｃｆ１に基づいて、オリジナルの映像データである映像データｖ１のカラーフォーマットを知ることができる。受信装置２００は、第２のカラーフォーマット情報ｃｆ２に基づいて、映像データｖ１から生成された映像データｖ２のカラーフォーマットを知ることができる。そして、受信装置２００は、映像データｖ１のカラーフォーマットと映像データｖ２のカラーフォーマットとに基づいて、映像データｖ２を映像データｖ１又は映像データｖ３に再変換できるか否かを判定することができる。
【００８３】
次に、図８及び図９を参照して、ＨＤＭＩ  Ｖｅｎｄｏｒ  Ｓｐｅｃｉｆｉｃ  ＩｎｆｏＦｒａｍｅを用いて第１のカラーフォーマット情報ｃｆ１を受信装置２００に送信する方法を説明する。以下、ＨＤＭＩ  Ｖｅｎｄｏｒ  Ｓｐｅｃｉｆｉｃ  ＩｎｆｏＦｒａｍｅを「ＶＳＩＦ」と呼ぶ。
【００８４】
図８を参照して、ＶＳＩＦのＰａｃｋｅｔ  Ｃｏｎｔｅｎｔｓのデータ構造の一例を説明する。なお、図８に示すデータ構造は一例であり、ＶＳＩＦのＰａｃｋｅｔ  Ｃｏｎｔｅｎｔｓのデータ構造は図８に示すデータ構造に限定されるものではない。
【００８５】
図８のＰＢ０フィールドには、チェックサムが格納される。図８のＰＢ１〜ＰＢ３フィールドには、２４ｂｉｔ  ＩＥＥＥ  Ｒｅｇｉｓｔｒａｔｉｏｎ  Ｉｄｅｎｔｉｆｉｅｒを示す値が格納される。図８のＰＢ４フィールドには、第１のカラーフォーマット情報ｃｆ１が格納される。第１のカラーフォーマット情報ｃｆ１には、映像データｖ１の色空間に関する情報ｃｆ１ａと、映像データｖ１のサンプリング方式に関する情報ｃｆ１ｂとが含まれているので、情報ｃｆ１ａ及び情報ｃｆ１ｂも図８のＰＢ４フィールドに格納されることになる。これにより、オリジナルの映像データである映像データｖ１のカラーフォーマットを示す情報は、図８のＰＢ４フィールドに格納される。
【００８６】
図９を参照して、図８のＰＢ４フィールドに格納される値の一例を説明する。なお、図９に示す値は一例であり、図８のＰＢ４フィールドに格納される値は図９に示す値に限定されるものではない。
【００８７】
図９に示すように、オリジナルの映像データである映像データｖ１のカラーフォーマットがＲＧＢ  ４：４：４である場合、図８のＰＢ４フィールドに格納される値は、例えば、０ｘ００である。映像データｖ１のカラーフォーマットがＹＣｂＣｒ  ４：２：２である場合、図８のＰＢ４フィールドに格納される値は、例えば、０ｘ０１である。映像データｖ１のカラーフォーマットがＹＣｂＣｒ  ４：４：４である場合、図８のＰＢ４フィールドに格納される値は、例えば、０ｘ０２である。映像データｖ１のカラーフォーマットがＹＣｂＣｒ  ４：２：０である場合、図８のＰＢ４フィールドに格納される値は、例えば、０ｘ０３である。
【００８８】
次に、図５を参照し、実施形態１における受信装置２００で行われる映像データ受信処理を説明する。映像データ受信処理は、例えば、送信装置１００が映像データｖ２、第１のカラーフォーマット情報ｃｆ１及び第２のカラーフォーマット情報ｃｆ２の送信を開始した場合に開始される。
【００８９】
ステップＳ５０１において、ＣＰＵ２０８は、命令ｃ５を通信部２０１に送信する。命令ｃ５は、映像データｖ２、第１のカラーフォーマット情報ｃｆ１及び第２のカラーフォーマット情報ｃｆ２を送信装置１００から受信する処理を通信部２０１に行わせるための命令である。命令ｃ５を受信した通信部２０１は、映像データｖ２、第１のカラーフォーマット情報ｃｆ１及び第２のカラーフォーマット情報ｃｆ２を送信装置１００から受信する処理を開始する。通信部２０１によって受信された映像データｖ２は、変換部２０２、記憶媒体制御部２０３及び表示制御部２０５に供給される。第１のカラーフォーマット情報ｃｆ１及び第２のカラーフォーマット情報ｃｆ２を送信装置１００から受信できた場合、通信部２０１は、第１のカラーフォーマット情報ｃｆ１及び第２のカラーフォーマット情報ｃｆ２をＣＰＵ２０８に供給する。命令ｃ５が通信部２０１に送信された後、ＣＰＵ２０８は、ステップＳ５０１からステップＳ５０２に進む。
【００９０】
ステップＳ５０２において、ＣＰＵ２０８は、第１のカラーフォーマット情報ｃｆ１及び第２のカラーフォーマット情報ｃｆ２に基づいて、所定の条件ｃｄ１〜ｃｄ３のうちの一つが満たされているか否かを判定する。所定の条件ｃｄ１〜ｃｄ３の一例は、図７に示すとおりである。
【００９１】
所定の条件ｃｄ１〜ｃｄ３のうちの一つが満たされている場合、ＣＰＵ２０８は、映像データｖ２を映像データｖ１に再変換することができると判定する。この場合、ＣＰＵ２０８は、ステップＳ５０２からステップＳ５０３に進む（ステップＳ５０２でＹＥＳ）。
【００９２】
所定の条件ｃｄ１〜ｃｄ３のいずれも満たされていない場合、ＣＰＵ２０８は、映像データｖ２を映像データｖ１に再変換することができないと判定する。この場合、ＣＰＵ２０８は、ステップＳ５０２からステップＳ５０５に進む（ステップＳ５０２でＮＯ）。
【００９３】
ステップＳ５０３において、ＣＰＵ２０８は、命令ｃ６を変換部２０２に送信する。命令ｃ６は、映像データｖ２を映像データｖ１に再変換する処理を変換部２０２に行わせるための命令である。命令ｃ６は、所定の条件ｃｄ１〜ｃｄ３のうちのどれが満たされているかを示す情報ｊ２を含む。命令ｃ６を受信した変換部２０２は、情報ｊ２に従って、映像データｖ２を映像データｖ１に再変換する処理を開始する。
【００９４】
例えば、映像データｖ１のカラーフォーマットがＹＣｂＣｒ  ４：２：０であり、映像データｖ２のカラーフォーマットがＹＣｂＣｒ  ４：２：２である場合、所定の条件ｃｄ１が満たされている。この場合、変換部２０２は、映像データｖ２から映像データｖ１を生成することができる。この場合、変換部２０２は、映像データｖ２から映像データｖ１を画質の劣化なく復元することができる。
【００９５】
例えば、映像データｖ１のカラーフォーマットがＹＣｂＣｒ  ４：２：０であり、映像データｖ２のカラーフォーマットがＹＣｂＣｒ  ４：４：４である場合、所定の条件ｃｄ２が満たされている。この場合、変換部２０２は、映像データｖ２から映像データｖ１を生成することができる。この場合、変換部２０２は、映像データｖ２から映像データｖ１を画質の劣化なく復元することができる。
【００９６】
例えば、映像データｖ１のカラーフォーマットがＹＣｂＣｒ  ４：２：２であり、映像データｖ２のカラーフォーマットがＹＣｂＣｒ  ４：４：４である場合、所定の条件ｃｄ３が満たされている。この場合、変換部２０２は、映像データｖ２から映像データｖ１を生成することができる。この場合、変換部２０２は、映像データｖ２から映像データｖ１を画質の劣化なく復元することができる。
【００９７】
変換部２０２で生成された映像データｖ１は、記憶媒体制御部２０３及び表示制御部２０５に供給される。命令ｃ６が変換部２０２に送信された後、ＣＰＵ２０８は、ステップＳ５０３からステップＳ５０４に進む。
【００９８】
ステップＳ５０４において、ＣＰＵ２０８は、命令ｃ７を記憶媒体制御部２０３に送信する。命令ｃ７は、映像データｖ２及び映像データｖ１の少なくとも一つを記憶媒体２０４に記録するための処理を記憶媒体制御部２０３に行わせるための命令である。命令ｃ７を受信した記憶媒体制御部２０３は、映像データｖ２及び映像データｖ１の少なくとも一つを記憶媒体２０４に記録するための処理を開始する。映像データｖ２を記憶媒体２０４に記録させるか、映像データｖ１を記憶媒体２０４に記録させるか、映像データｖ２及び映像データｖ１を記憶媒体２０４に記録させるかは、ＣＰＵ２０８がユーザからの指示に従って記憶媒体制御部２０３に命令する。
【００９９】
ステップＳ５０５において、ＣＰＵ２０８は、第１のカラーフォーマット情報ｃｆ１及び第２のカラーフォーマット情報ｃｆ２に基づいて、所定の条件ｃｄ４〜ｃｄ７のうちの一つが満たされているか否かを判定する。所定の条件ｃｄ４〜ｃｄ７の一例は、図７に示すとおりである。
【０１００】
所定の条件ｃｄ４〜ｃｄ７のうちの一つが満たされている場合、ＣＰＵ２０８は、映像データｖ２を映像データｖ３に再変換することができると判定する。この場合、ＣＰＵ２０８は、ステップＳ５０５からステップＳ５０６に進む（ステップＳ５０５でＹＥＳ）。
【０１０１】
所定の条件ｃｄ４〜ｃｄ７のいずれも満たされていない場合、ＣＰＵ２０８は、映像データｖ２を映像データｖ３に再変換することができないと判定する。この場合、ＣＰＵ２０８は、ステップＳ５０５からステップＳ５０８に進む（ステップＳ５０５でＮＯ）。
【０１０２】
ステップＳ５０６において、ＣＰＵ２０８は、命令ｃ８を変換部２０２に送信する。命令ｃ８は、映像データｖ２を映像データｖ３に再変換する処理を変換部２０２に行わせるための命令である。命令ｃ８は、所定の条件ｃｄ４〜ｃｄ７のうちのどれが満たされているかを示す情報ｊ３を含む。命令ｃ８を受信した変換部２０２は、情報ｊ３に従って、映像データｖ２を映像データｖ１に再変換する処理を開始する。ここで、変換部２０２は、映像データｖ３のカラーフォーマットが映像データｖ１のカラーフォーマットと同じカラーフォーマットになるように、映像データｖ２から映像データｖ３を生成する。
【０１０３】
例えば、映像データｖ１のカラーフォーマットがＹＣｂＣｒ  ４：２：０であり、映像データｖ２のカラーフォーマットがＲＧＢ  ４：４：４である場合、所定の条件ｃｄ４が満たされている。この場合、変換部２０２は、映像データｖ２から映像データｖ３を生成することができる。この場合、映像データｖ３のカラーフォーマットは、ＹＣｂＣｒ  ４：２：０である。
【０１０４】
例えば、映像データｖ１のカラーフォーマットがＹＣｂＣｒ  ４：２：２であり、映像データｖ２のカラーフォーマットがＲＧＢ  ４：４：４である場合、所定の条件ｃｄ５が満たされている。この場合、変換部２０２は、映像データｖ２から映像データｖ３を生成することができる。この場合、映像データｖ３のカラーフォーマットは、ＹＣｂＣｒ  ４：２：２である。
【０１０５】
例えば、映像データｖ１のカラーフォーマットがＹＣｂＣｒ  ４：４：４であり、映像データｖ２のカラーフォーマットがＲＧＢ  ４：４：４である場合、所定の条件ｃｄ６が満たされている。この場合、変換部２０２は、映像データｖ２から映像データｖ３を生成することができる。この場合、映像データｖ３のカラーフォーマットは、ＹＣｂＣｒ  ４：４：４である。
【０１０６】
例えば、映像データｖ１のカラーフォーマットがＲＧＢ  ４：４：４であり、映像データｖ２のカラーフォーマットがＹＣｂＣｒ  ４：４：４である場合、所定の条件ｃｄ７が満たされている。この場合、変換部２０２は、映像データｖ２から映像データｖ３を生成することができる。この場合、映像データｖ３のカラーフォーマットは、ＲＧＢ  ４：４：４である。
【０１０７】
変換部２０２で生成された映像データｖ３は、記憶媒体制御部２０３及び表示制御部２０５に供給される。命令ｃ８が変換部２０２に送信された後、ＣＰＵ２０８は、ステップＳ５０３からステップＳ５０４に進む。
【０１０８】
ステップＳ５０７において、ＣＰＵ２０８は、命令ｃ９を記憶媒体制御部２０３に送信する。命令ｃ９は、映像データｖ２及び映像データｖ３の少なくとも一つを記憶媒体２０４に記録するための処理を記憶媒体制御部２０３に行わせるための命令である。命令ｃ９を受信した記憶媒体制御部２０３は、映像データｖ２及び映像データｖ３の少なくとも一つを記憶媒体２０４に記録するための処理を開始する。映像データｖ２を記憶媒体２０４に記録させるか、映像データｖ３を記憶媒体２０４に記録させるか、映像データｖ２及び映像データｖ３を記憶媒体２０４に記録させるかは、ＣＰＵ２０８がユーザからの指示に従って記憶媒体制御部２０３に命令する。
【０１０９】
ステップＳ５０８において、ＣＰＵ２０８は、命令ｃ１０を記憶媒体制御部２０３に送信する。命令ｃ１０は、映像データｖ２を記憶媒体２０４に記録するための処理を記憶媒体制御部２０３に行わせるための命令である。命令ｃ１０を受信した記憶媒体制御部２０３は、映像データｖ２を記憶媒体２０４に記録するための処理を開始する。
【０１１０】
このように、受信装置２００は、第１のカラーフォーマット情報ｃｆ１を送信装置１００から受信することができるので、オリジナルの映像データである映像データｖ１のカラーフォーマットを知ることができる。受信装置２００は、第２のカラーフォーマット情報ｃｆ２を送信装置１００から受信することもできるので、映像データｖ１から生成された映像データｖ２のカラーフォーマットを知ることもできる。そして、受信装置２００は、映像データｖ１のカラーフォーマットと映像データｖ２のカラーフォーマットとに基づいて、映像データｖ２を映像データｖ１又は映像データｖ３に再変換できるか否かを判定することができる。
【０１１１】
映像データｖ１のカラーフォーマットがＹＣｂＣｒ  ４：２：０であり、映像データｖ２のカラーフォーマットがＹＣｂＣｒ  ４：２：２又はＹＣｂＣｒ  ４：４：４である場合は、映像データｖ２から映像データｖ１を画質の劣化なく復元することができる。そして、この場合、受信装置２００は、映像データｖ２及び映像データｖ１の少なくとも一つを記憶媒体２０４に記録することができる。映像データｖ１を記憶媒体２０４に記録する場合は、余分な補間データを記憶媒体２０４に記録しないようにすることもできる。
【０１１２】
映像データｖ１のカラーフォーマットがＹＣｂＣｒ  ４：２：２であり、映像データｖ２のカラーフォーマットがＹＣｂＣｒ  ４：４：４である場合も、映像データｖ２から映像データｖ１を画質の劣化なく復元することができる。そして、この場合、受信装置２００は、映像データｖ２及び映像データｖ１の少なくとも一つを記憶媒体２０４に記録することができる。映像データｖ１を記憶媒体２０４に記録する場合は、余分な補間データを記憶媒体２０４に記録しないようにすることもできる。
【０１１３】
次に、図６を参照し、実施形態１における送信装置１００で行われる映像データ送信処理の第２の例を説明する。映像データ送信処理の第２の例は、例えば、オリジナルの映像データである映像データｖ１の送信が送信装置１００に指示された場合に開始される。
【０１１４】
映像データ送信処理の第１の例では、受信装置２００が記録装置として動作できる装置であるか否かにかかわらず、映像データｖ１及びｖ２のカラーフォーマットが所定の条件ｃｄ１〜ｃｄ７のうちの一つを満たすか否かを判定する方法を説明した。映像データ送信処理の第２の例では、映像データｖ１及びｖ２のカラーフォーマットが所定の条件ｃｄ１〜ｃｄ７のうちの一つを満たすか否かを判定する前に、受信装置２００が記録装置として動作できる装置であるか否かを判定する方法を説明する。なお、映像データ送信処理の第２の例において、映像データ送信処理の第１の例と同様の部分については、その説明を省略する。
【０１１５】
映像データ送信処理の第２の例におけるステップＳ４０１からステップＳ４０２までの処理は、映像データ送信処理の第１の例におけるステップＳ４０１からステップＳ４０２までの処理と同じである。したがって、実施形態１では、映像データ送信処理の第２の例におけるステップＳ４０１からステップＳ４０２までの処理についての説明を省略する。ただし、映像データ送信処理の第２の例におけるステップＳ４０２では、ＣＰＵ１０９は、映像データｖ２のカラーフォーマットが選択された後、ステップＳ４０２からステップＳ６０１に進む。
【０１１６】
ステップＳ６０１において、ＣＰＵ１０９は、第１の判定方法及び第２の判定方法のいずれかを用いて、受信装置２００が記録装置として動作できる装置であるか否かを判定する。第１の判定方法及び第２の判定方法はいずれも、受信装置２００が記録装置として動作できる装置であるか否かを判定するための方法である。ただし、受信装置２００が記録装置として動作できる装置であるか否かを判定するための方法は、第１の判定方法及び第２の判定方法に限るものではない。
【０１１７】
第１の判定方法は、ＣＥＣ規格等に準拠したコマンドを用いて、受信装置２００が記録装置として動作できる装置であるか否かを受信装置２００に問い合わせる方法である。第１の判定方法を用いる場合、ＣＰＵ１０９は、命令ｃ１１を通信部１０７に送信する。命令ｃ１１は、コマンドＶ１を受信装置２００に送信する処理を通信部１０７に行わせるための命令である。コマンドＶ１は、受信装置２００が記録装置として動作できる装置であるか否かを受信装置２００に問い合わせるためのコマンドである。命令ｃ１１を受信した通信部１０７は、コマンドＶ１を受信装置２００に送信する。コマンドＶ１を受信した受信装置２００は、コマンドＶ１に対応するレスポンスを送信装置１００に送信する。コマンドＶ１に対応するレスポンスには、受信装置２００が記録装置として動作できる装置であるか否かを示す情報を含まれている。コマンドＶ１に対応するレスポンスを受信した通信部１０７は、受信したレスポンスをＣＰＵ１０９に供給する。ＣＰＵ１０９は、受信したレスポンスを解析することにより、受信装置２００が記録装置として動作できる装置であるか否かを判定することができる。
【０１１８】
第２の判定方法は、ＥＤＩＤ、Ｅ−ＥＤＩＤなどのデバイス情報を用いる方法である。第２の判定方法を用いる場合、受信装置２００の通信部２０１は、受信装置２００が記録装置として動作できる装置であるか否かを示す情報を含むデバイス情報を送信装置１００に送信する。デバイス情報がＥ−ＥＤＩＤである場合、受信装置２００が記録装置として動作できる装置であるか否かを示す情報は、例えば、Ｖｅｎｄｏｒ  Ｓｐｅｃｉｆｉｃ  Ｄａｔａ  Ｂｌｏｃｋに格納される。受信装置２００のデバイス情報を受信装置２００から受信した通信部１０７は、受信したデバイス情報をＣＰＵ１０９に供給する。ＣＰＵ１０９は、受信したデバイス情報を解析することにより、受信装置２００が記録装置として動作できる装置であるか否かを判定することができる。
【０１１９】
受信装置２００が記録装置として動作できる装置であった場合、ＣＰＵ１０９は、ステップＳ６０１からステップＳ４０３に進む（ステップＳ６０１でＹＥＳ）。受信装置２００が記録装置として動作できる装置でなかった場合、ＣＰＵ１０９は、ステップＳ６０１からステップＳ４０７に進む（ステップＳ６０１でＮＯ）。
【０１２０】
映像データ送信処理の第２の例におけるステップＳ４０３からステップＳ４０９までの処理は、映像データ送信処理の第１の例におけるステップＳ４０３からステップＳ４０９までの処理と同じである。したがって、実施形態１では、映像データ送信処理の第２の例におけるステップＳ４０３からステップＳ４０９までの処理についての説明を省略する。
【０１２１】
このように、送信装置１００は、映像データｖ１及びｖ２のカラーフォーマットが所定の条件ｃｄ１〜ｃｄ７のうちの一つを満たすか否かを判定する前に、受信装置２００が記録装置として動作できる装置であるか否かを判定することができる。そして、受信装置２００が記録装置として動作できる装置である場合、送信装置１００は、映像データｖ１及びｖ２のカラーフォーマットが所定の条件ｃｄ１〜ｃｄ７のうちの一つを満たすか否かを判定することができる。そしてさらに、送信装置１００は、映像データｖ１及びｖ２のカラーフォーマットが所定の条件ｃｄ１〜ｃｄ７のうちの一つを満たす場合、第１のカラーフォーマット情報ｃｆ１及び第２のカラーフォーマット情報ｃｆ２を受信装置２００に送信することができる。これにより、受信装置２００は、第１のカラーフォーマット情報ｃｆ１に基づいて、オリジナルの映像データである映像データｖ１のカラーフォーマットを知ることができる。受信装置２００は、第２のカラーフォーマット情報ｃｆ２に基づいて、映像データｖ１から生成された映像データｖ２のカラーフォーマットを知ることができる。そして、受信装置２００は、映像データｖ１のカラーフォーマットと映像データｖ２のカラーフォーマットとに基づいて、映像データｖ２を映像データｖ１又は映像データｖ３に再変換できるか否かを判定することができる。
【０１２２】
なお、実施形態１は、様々な変更或いは修正を加えることができる。例えば、実施形態１におけるＹＣｂＣｒは、ＹＰｂＰｒに置き換えることができる。
【０１２３】
実施形態１における送信装置１００、受信装置２００及びケーブル３００は、ＨＤＭＩ規格の代わりに、ＤｉｓｐｌａｙＰｏｒｔ規格、ＵＳＢ（Ｕｎｉｖｅｒｓａｌ  Ｓｅｒｉａｌ  Ｂｕｓ）規格、無線ＬＡＮ規格などのいずれかに準拠するものでもよい。この場合、映像データｖ１及び映像データｖ２は、ＤｉｓｐｌａｙＰｏｒｔ規格、ＵＳＢ規格、無線ＬＡＮ規格などのいずれかに準拠した方法によって送信装置１００から受信装置２００に送信される。この場合、第１のカラーフォーマット情報ｃｆ１及び第２のカラーフォーマット情報ｃｆ２も、ＤｉｓｐｌａｙＰｏｒｔ規格、ＵＳＢ規格、無線ＬＡＮ規格などのいずれかに準拠した方法によって送信装置１００から受信装置２００に送信される。
【０１２４】
実施形態１における送信装置１００、受信装置２００及びケーブル３００は、ＣＥＣ規格の代わりに、ＤｉｓｐｌａｙＰｏｒｔ規格、ＵＳＢ（Ｕｎｉｖｅｒｓａｌ  Ｓｅｒｉａｌ  Ｂｕｓ）規格、無線ＬＡＮ規格などのいずれかに準拠するものであってもよい。この場合、第２のカラーフォーマット情報ｃｆ２は、ＤｉｓｐｌａｙＰｏｒｔ規格、ＵＳＢ規格、無線ＬＡＮ規格などのいずれかに準拠した方法によって送信装置１００から受信装置２００に送信される。
【０１２５】
［実施形態２］
実施形態１において説明された様々な機能、処理及び方法の少なくとも一つは、プログラムを用いて実現することができる。以下、実施形態２では、実施形態１で説明した様々な機能、処理及び方法の少なくとも一つを実現するためのプログラムを「プログラムＸ」と呼ぶ。実施形態２では、プログラムＸを実行するためのコンピュータを「コンピュータＹ」と呼ぶ。パーソナルコンピュータ、マイクロコンピュータ、ＣＰＵ（Ｃｅｎｔｒａｌ  Ｐｒｏｃｅｓｓｉｎｇ  Ｕｎｉｔ）などは、コンピュータＹの一例である。
【０１２６】
実施形態１において説明された様々な機能、処理及び方法の少なくとも一つは、コンピュータＹがプログラムＸを実行することによって実現することができる。この場合において、プログラムＸは、コンピュータ読み取り可能な記憶媒体を介してコンピュータＹに供給される。実施形態２におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。実施形態２におけるコンピュータ読み取り可能な記憶媒体は、ｎｏｎ−ｔｒａｎｓｉｔｏｒｙ（非一時的）な記憶媒体である。
【符号の説明】
【０１２７】
１００  送信装置（ソース装置、撮像装置、再生装置、第１の通信装置）
２００  受信装置（シンク装置、表示装置、記録装置、第２の通信装置）
３００  ケーブル（通信ケーブル、ＨＤＭＩケーブル）
【図１】
2015091064.tif 000003
【図２】
2015091064.tif 000004
【図３】
2015091064.tif 000005
【図４】
2015091064.tif 000006
【図５】
2015091064.tif 000007
【図６】
2015091064.tif 000008
【図７】
2015091064.tif 000009
【図８】
2015091064.tif 000010
【図９】
2015091064.tif 000011